(57)【特許請求の範囲】
【請求項１】
着用者からの排泄物を受ける吸収性物品であって、
透液性のトップシートと、
撥水性または不透液性のバックシートと、
前記トップシートと前記バックシートとの間に配置される第１吸収シートと、
前記第１吸収シートと前記バックシートとの間に配置される第２吸収シートと、
を備え、
前記第１吸収シートが、
第１上層シートと、
前記第１上層シートと前記バックシートとの間に配置される第１下層シートと、
前記第１上層シートと前記第１下層シートとの間に固定された粒状または繊維状の第１高吸収性材料と、
を備え、
前記第２吸収シートが、
第２上層シートと、
前記第２上層シートと前記バックシートとの間に配置される第２下層シートと、
前記第２上層シートと前記第２下層シートとの間に固定された粒状または繊維状の第２高吸収性材料と、
を備え、
前記第１高吸収性材料は、粒状のＳＡＰまたは繊維状のＳＡＦであり、
前記第１吸収シートでは、前記第１上層シートと前記第１下層シートとの間に、前記第１高吸収性材料以外の嵩高な吸収材料は存在せず、
前記第２高吸収性材料は、粒状のＳＡＰまたは繊維状のＳＡＦであり、
前記第２吸収シートでは、前記第２上層シートと前記第２下層シートとの間に、前記第２高吸収性材料以外の嵩高な吸収材料は存在せず、
長手方向の両側において、前記第１吸収シートが前記第２吸収シートの前記長手方向の端縁から前記長手方向に延出しており、前記第１吸収シートの前記第２吸収シートからの延出部が、前記第２吸収シートの前記端縁から前記長手方向に離間して前記バックシートに接するバックシート接触領域を備えることを特徴とする吸収性物品。
【請求項２】
請求項１に記載の吸収性物品であって、
前記長手方向の両側において、前記第１吸収シートの前記バックシート接触領域と前記第２吸収シートの前記端縁との間の前記長手方向の距離が２ｍｍ以上２０ｍｍ以下であり、前記バックシート接触領域と前記第２吸収シートの前記端縁との間に、前記第１吸収シートと前記第２吸収シートと前記バックシートとに囲まれる空間が設けられることを特徴とする吸収性物品。
【請求項３】
請求項１または２に記載の吸収性物品であって、
前記第１吸収シートの単位面積あたりの液体吸収量が、前記第２吸収シートの単位面積あたりの液体吸収量よりも小さいことを特徴とする吸収性物品。
【請求項４】
請求項１ないし３のいずれかに記載の吸収性物品であって、
前記第２吸収シートの前記長手方向の両端縁部において、前記第２上層シートと前記第２下層シートとが非固定であることを特徴とする吸収性物品。
【請求項５】
請求項１ないし４のいずれかに記載の吸収性物品であって、
前記長手方向の両側において、前記第１吸収シートの前記バックシート接触領域が前記バックシートに固定されることを特徴とする吸収性物品。
【請求項６】
請求項１ないし５のいずれかに記載の吸収性物品であって、
前記第２吸収シートの前記第２上層シートが、前記第１吸収シートの前記第１下層シートに固定されることを特徴とする吸収性物品。
【請求項７】
請求項１ないし６のいずれかに記載の吸収性物品であって、
前記第１下層シートの透液性が、前記第２下層シートの透液性よりも高いことを特徴とする吸収性物品。
【請求項８】
請求項１ないし７のいずれかに記載の吸収性物品であって、
幅方向の両側において、前記第１吸収シートが前記第２吸収シートの前記幅方向の側縁から前記幅方向に延出しており、前記第１吸収シートの前記第２吸収シートからの延出部が、前記第２吸収シートの前記幅方向の前記側縁から前記幅方向に離間して前記バックシートに接する側方バックシート接触領域を備えることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつの内側に取り付けられて使用される軽失禁用の吸収パッド等の吸収性物品では、特許文献１ないし特許文献３に示されるように、トップシートとバックシートとの間の吸収体として、２枚の不織布等のシート部材の間に、高吸収性樹脂等の粒子を挟んで固定した吸収シートが利用されている。
【０００３】
一方、特許文献４では、トップシートとバックシートとの間の吸収体として、パルプ繊維の積繊体、セルロースアセテート等のフィラメントの集合体、あるいは、不織布を基本とし、必要に応じて高吸収性ポリマーを混合、固着等してなるものが用いられる。当該吸収体は、上層と下層とが積層されて形成されている。吸収体の上層の端部は下層よりも外側にはみ出しており、はみ出した部分がバックシートに向かって湾曲される。
【先行技術文献】
【特許文献】
【０００４】
【特許文献１】特表２００２−５４１９７９号公報
【特許文献２】特表２００２−５１３６３５号公報
【特許文献３】特表２００２−５１９１４６号公報
【特許文献４】特開２０１４−１９３２０７号公報
【発明の概要】
【発明が解決しようとする課題】
【０００５】
ところで、特許文献４のように上層と下層とが積層された吸収体では、上層を透過した尿等の液体が、下層にて吸収される前に上層を透過してトップシートへと戻るおそれがある。このような液戻りが生じると、トップシートへと戻った尿等の液体が、着用者の肌に付着し、着用者に不快感を与える可能性がある。
【０００６】
本発明は、上記課題に鑑みなされたものであり、液戻りを抑制することを目的としている。
【課題を解決するための手段】
【０００７】
請求項１に記載の発明は、着用者からの排泄物を受ける吸収性物品であって、透液性のトップシートと、撥水性または不透液性のバックシートと、前記トップシートと前記バックシートとの間に配置される第１吸収シートと、前記第１吸収シートと前記バックシートとの間に配置される第２吸収シートとを備え、前記第１吸収シートが、第１上層シートと、前記第１上層シートと前記バックシートとの間に配置される第１下層シートと、前記第１上層シートと前記第１下層シートとの間に固定された粒状または繊維状の第１高吸収性材料とを備え、前記第２吸収シートが、第２上層シートと、前記第２上層シートと前記バックシートとの間に配置される第２下層シートと、前記第２上層シートと前記第２下層シートとの間に固定された粒状または繊維状の第２高吸収性材料とを備え、前記第１高吸収性材料は、粒状のＳＡＰまたは繊維状のＳＡＦであり、前記第１吸収シートでは、前記第１上層シートと前記第１下層シートとの間に、前記第１高吸収性材料以外の嵩高な吸収材料は存在せず、前記第２高吸収性材料は、粒状のＳＡＰまたは繊維状のＳＡＦであり、前記第２吸収シートでは、前記第２上層シートと前記第２下層シートとの間に、前記第２高吸収性材料以外の嵩高な吸収材料は存在せず、長手方向の両側において、前記第１吸収シートが前記第２吸収シートの前記長手方向の端縁から前記長手方向に延出しており、前記第１吸収シートの前記第２吸収シートからの延出部が、前記第２吸収シートの前記端縁から前記長手方向に離間して前記バックシートに接するバックシート接触領域を備える。
【０００８】
請求項２に記載の発明は、請求項１に記載の吸収性物品であって、前記長手方向の両側において、前記第１吸収シートの前記バックシート接触領域と前記第２吸収シートの前記端縁との間の前記長手方向の距離が２ｍｍ以上２０ｍｍ以下であり、前記バックシート接触領域と前記第２吸収シートの前記端縁との間に、前記第１吸収シートと前記第２吸収シートと前記バックシートとに囲まれる空間が設けられる。
【０００９】
請求項３に記載の発明は、請求項１または２に記載の吸収性物品であって、前記第１吸収シートの単位面積あたりの液体吸収量が、前記第２吸収シートの単位面積あたりの液体吸収量よりも小さい。
【００１０】
請求項４に記載の発明は、請求項１ないし３のいずれかに記載の吸収性物品であって、前記第２吸収シートの前記長手方向の両端縁部において、前記第２上層シートと前記第２下層シートとが非固定である。
【００１１】
請求項５に記載の発明は、請求項１ないし４のいずれかに記載の吸収性物品であって、前記長手方向の両側において、前記第１吸収シートの前記バックシート接触領域が前記バックシートに固定される。
【００１２】
請求項６に記載の発明は、請求項１ないし５のいずれかに記載の吸収性物品であって、前記第２吸収シートの前記第２上層シートが、前記第１吸収シートの前記第１下層シートに固定される。
【００１３】
請求項７に記載の発明は、請求項１ないし６のいずれかに記載の吸収性物品であって、前記第１下層シートの透液性が、前記第２下層シートの透液性よりも高い。
【００１４】
請求項８に記載の発明は、請求項１ないし７のいずれかに記載の吸収性物品であって、幅方向の両側において、前記第１吸収シートが前記第２吸収シートの前記幅方向の側縁から前記幅方向に延出しており、前記第１吸収シートの前記第２吸収シートからの延出部が、前記第２吸収シートの前記幅方向の前記側縁から前記幅方向に離間して前記バックシートに接する側方バックシート接触領域を備える。
【発明の効果】
【００１５】
本発明では、液戻りを抑制することができる。
【図面の簡単な説明】
【００１６】
【図１】第１の実施の形態に係る吸収性物品の平面図である。
【図２】吸収性物品の断面図である。
【図３】吸収性物品の断面図である。
【図４】第１吸収シートの平面図である。
【図５】第２吸収シートの平面図である。
【図６】他の吸収性物品の断面図である。
【図７】第２吸収シートの平面図である。
【図８】第２の実施の形態に係る吸収性物品の平面図である。
【図９】吸収性物品の断面図である。
【図１０】第２吸収シートの平面図である。
【発明を実施するための形態】
【００１７】
図１は、本発明の第１の実施の形態に係る吸収性物品１の平面図である。図２は、吸収性物品１を図１中のＩＩ−ＩＩの位置にて長手方向（すなわち、図１中における上下方向）に垂直な面で切断した断面を拡大して示す図である。図３は、吸収性物品１を図１中のＩＩＩ−ＩＩＩの位置にて幅方向（すなわち、図１中における左右方向）に垂直な面で切断した断面図である。図２および図３では、実際よりも上下方向の大きさ（すなわち、厚さ）を大きく描いている。他の断面図においても同様である。
【００１８】
吸収性物品１は、着用者からの排泄物を受ける。吸収性物品１は、例えば、着用者が着用する外装物品である使い捨ておむつの内側に取り付けられて使用される軽失禁用の吸収パッドであり、着用者からの尿等の液状の排泄物を受ける。図１では、着用者に接する面（以下、「上面」という。）を手前側にして吸収性物品１を描いている。
【００１９】
図１ないし図３に示すように、吸収性物品１は、透液性のトップシート２１と、撥液性または不透液性のバックシート２３と、吸収体２０とを備える。吸収体２０は、トップシート２１とバックシート２３との間に配置されるシート状部材である。吸収体２０は、第１吸収シート２２と、第２吸収シート２２ａとを備える。第１吸収シート２２および第２吸収シート２２ａは、上下方向に積層される。第２吸収シート２２ａは、第１吸収シート２２の下方に配置される。換言すれば、第１吸収シート２２は、トップシート２１とバックシート２３との間に配置され、第２吸収シート２２ａは、第１吸収シート２２とバックシート２３との間に配置される。第２吸収シート２２ａの下面は、略全面に亘ってバックシート２３の上面に接する。図１に示す例では、第１吸収シート２２および第２吸収シート２２ａの平面視におけるそれぞれの形状は、長手方向の長さが幅方向の幅よりも大きい略矩形状である。
【００２０】
図１では、図の理解を容易にするために、吸収体２０の第１吸収シート２２および第２吸収シート２２ａの輪郭を太い破線にて描く。また、図２および図３では、実際には接触している吸収性物品１の構成の一部を、上下方向に離間させて描く。図１に示す例では、吸収性物品１の平面視における形状は、長手方向の長さが幅方向の幅よりも大きい略長円状である。トップシート２１の外縁部とバックシート２３の外縁部とは、全周に亘って接合される。図１では、トップシート２１とバックシート２３との接合部に平行斜線を付す。当該接合部では、トップシート２１とバックシート２３とは、例えば、接着剤により接着されてもよく、圧着されてもよい。
【００２１】
トップシート２１は、透液性のシート材料であり、着用者からの排泄物の水分を速やかに捕捉して吸収体２０へと移動させる。トップシート２１としては、例えば、表面を界面活性剤により親水処理した疎水性繊維（ポリプロピレン、ポリエチレン、ポリエステル、ポリアミド、ナイロン等）にて形成された透液性の不織布（ポイントボンド不織布、エアスルー不織布、スパンボンド不織布等）が利用される。なお、トップシート２１として、セルロースやレーヨン、コットン等の親水性繊維により形成された不織布（例えば、スパンレース不織布）が利用されてもよい。
【００２２】
吸収体２０の第１吸収シート２２は、第１上層シート２２１と、第１高吸収性材料２２２と、第１下層シート２２３とを備える。第１下層シート２２３は、第１上層シート２２１の下方に配置され、第１上層シート２２１と上下方向に積層される。換言すれば、第１下層シート２２３は、第１上層シート２２１とバックシート２３との間に配置される。
【００２３】
第１上層シート２２１および第１下層シート２２３は、透液性のシート材料である。第１上層シート２２１および第１下層シート２２３としては、例えば、透液性の不織布（スパンレース不織布、エアスルー不織布、スパンボンド不織布等）が利用される。例えば、第１上層シート２２１および第１下層シート２２３はそれぞれ、スパンレース不織布およびエアスルー不織布である。あるいは、第１上層シート２２１および第１下層シート２２３は共に、エアスルー不織布またはスパンボンド不織布であってもよい。第１上層シート２２１および第１下層シート２２３の材料の組み合わせは、様々に変更されてよい。第１上層シート２２１の透液性は、例えば、第１下層シート２２３の透液性よりも高い。当該透液性は、例えば、単位面積のシートを単位時間に透過する液体の量で求められる。以下の説明においても同様である。
【００２４】
第１高吸収性材料２２２は、例えば、粒状のＳＡＰ（Super Absorbent Polymer）、または、繊維状のＳＡＦ（Super Absorbent Fiber）である。図２および図３に示す例では、第１高吸収性材料２２２はＳＡＰである。図２および図３では、第１高吸収性材料２２２の粒子を実際よりも大きく描く。第１高吸収性材料２２２は、第１上層シート２２１と第１下層シート２２３との間に固定される。第１吸収シート２２は、トップシート２１を透過した液体を吸収して保持する。具体的には、第１吸収シート２２の第１高吸収性材料２２２が、当該液体を吸収して膨潤することにより、当該液体を第１吸収シート２２内に固定する。第１吸収シート２２では、第１上層シート２２１と第１下層シート２２３との間に、第１高吸収性材料２２２以外の嵩高な吸収材料（例えば、パルプ繊維）は、実質的に存在しない。
【００２５】
第２吸収シート２２ａは、第２上層シート２２１ａと、第２高吸収性材料２２２ａと、第２下層シート２２３ａとを備える。第２下層シート２２３ａは、第２上層シート２２１ａの下方に配置され、第２上層シート２２１ａと上下方向に積層される。換言すれば、第２下層シート２２３ａは、第２上層シート２２１ａとバックシート２３との間に配置される。
【００２６】
第２上層シート２２１ａおよび第２下層シート２２３ａは、透液性のシート材料である。第２上層シート２２１ａおよび第２下層シート２２３ａとしては、例えば、透液性の不織布（スパンレース不織布、エアスルー不織布、スパンボンド不織布等）が利用される。例えば、第２上層シート２２１ａおよび第２下層シート２２３ａはそれぞれ、スパンレース不織布およびエアスルー不織布である。あるいは、第２上層シート２２１ａおよび第２下層シート２２３ａは共に、エアスルー不織布またはスパンボンド不織布であってもよい。第２上層シート２２１ａおよび第２下層シート２２３ａの材料の組み合わせは、様々に変更されてよい。第２上層シート２２１ａの透液性は、例えば、第２下層シート２２３ａの透液性よりも高い。また、例えば、第１吸収シート２２の第１下層シート２２３の透液性は、第２吸収シート２２ａの第２下層シート２２３ａの透液性よりも高い。
【００２７】
第２高吸収性材料２２２ａは、例えば、粒状のＳＡＰ、または、繊維状のＳＡＦである。図２および図３に示す例では、第２高吸収性材料２２２ａはＳＡＰである。図２および図３では、第２高吸収性材料２２２ａの粒子を実際よりも大きく描く。第２高吸収性材料２２２ａは、第２上層シート２２１ａと第２下層シート２２３ａとの間に固定される。第２吸収シート２２ａは、トップシート２１および第１吸収シート２２を透過した液体を吸収して保持する。具体的には、第２吸収シート２２ａの第２高吸収性材料２２２ａが、当該液体を吸収して膨潤することにより、当該液体を第２吸収シート２２ａ内に固定する。第２吸収シート２２ａでは、第２上層シート２２１ａと第２下層シート２２３ａとの間に、第２高吸収性材料２２２ａ以外の嵩高な吸収材料（例えば、パルプ繊維）は、実質的に存在しない。
【００２８】
第２上層シート２２１ａ、第２高吸収性材料２２２ａおよび第２下層シート２２３ａの材料はそれぞれ、第１上層シート２２１、第１高吸収性材料２２２および第１下層シート２２３の材料と同じでもよく、異なっていてもよい。第２吸収シート２２ａの第２上層シート２２１ａは、第１吸収シート２２の第１下層シート２２３に固定される。第２上層シート２２１ａと第１下層シート２２３との固定は、例えば、ホットメルト接着剤による接着により行われる。この場合、当該ホットメルト接着剤は、スパイラル塗工により第２上層シート２２１ａまたは第１下層シート２２３に塗布されることが好ましい。これにより、第１吸収シート２２から第２吸収シート２２ａへの液体の透過が接着剤により妨げられることを抑制することができる。第２上層シート２２１ａと第１下層シート２２３との固定は、他の様々な方法により行われてもよい。
【００２９】
バックシート２３は、撥液性または不透液性のシート部材であり、バックシート２３に到達した排泄物の水分等が、吸収性物品１の外部にしみ出すことを防止する。バックシート２３としては、例えば、撥液性または不透液性の不織布やプラスチックフィルム、あるいは、これらの不織布とプラスチックフィルムとが積層された積層シートが利用される。バックシート２３に利用される不織布は、例えば、疎水性繊維にて形成されたスパンボンド不織布やメルトブロー不織布、ＳＭＳ（スパンボンド・メルトブロー・スパンボンド）不織布であり、必要に応じて撥液処理が施される。バックシート２３にプラスチックフィルムが利用される場合、吸収性物品１のムレを防止して着用者の快適性を向上するという観点からは、透湿性（通気性）を有するプラスチックフィルムが利用されることが好ましい。
【００３０】
第１吸収シート２２の長手方向の長さは、第２吸収シート２２ａの長手方向の長さよりも長い。第２吸収シート２２ａの長手方向の長さは、例えば、第１吸収シート２２の長手方向の長さの５０％以上９０％以下である。第１吸収シート２２の幅方向の幅は、第２吸収シート２２ａの幅方向の幅とおよそ同じである。第１吸収シート２２の長手方向の両側では、第１吸収シート２２が第２吸収シート２２ａの長手方向の端縁から長手方向に延出する。当該長手方向の両側において、第１吸収シート２２の第２吸収シート２２ａからの延出部２２４は、第２吸収シート２２ａの長手方向の端縁から長手方向に離間してバックシート２３に接するバックシート接触領域２２５を備える。換言すれば、バックシート接触領域２２５の第２吸収シート２２ａに近い側の長手方向の端縁は、第２吸収シート２２ａの長手方向の端縁から長手方向に離間する。さらに換言すれば、第１吸収シート２２のバックシート接触領域２２５と第２吸収シート２２ａの長手方向の端縁との間には、吸収体２０とバックシート２３とが接触しない非接触領域が存在する。
【００３１】
第１吸収シート２２の長手方向の両側において、第１吸収シート２２のバックシート接触領域２２５はバックシート２３に固定される。バックシート接触領域２２５とバックシート２３との固定は、例えば、ホットメルト接着剤による接着により行われる。バックシート接触領域２２５とバックシート２３との固定は、他の様々な方法により行われてもよい。
【００３２】
第１吸収シート２２の長手方向の両側において、第１吸収シート２２のバックシート接触領域２２５と第２吸収シート２２ａの長手方向の端縁との間の長手方向の距離Ｄ１は、例えば、２ｍｍ以上２０ｍｍ以下である。バックシート接触領域２２５と第２吸収シート２２ａの長手方向の端縁との間には、第１吸収シート２２と第２吸収シート２２ａとバックシート２３とに囲まれる空間２２６（以下、「コア端部空間２２６」という。）が設けられる。コア端部空間２２６は、第２吸収シート２２ａの略全幅に亘って幅方向に略直線状に延びる。
【００３３】
図４は、第１吸収シート２２の平面図である。図４では、第１上層シート２２１と第１下層シート２２３とが互いに固定される接合部２５１，２５２にそれぞれ平行斜線を付す。以下の説明では、接合部２５１，２５２の区別を容易にするために、接合部２５１，２５２をそれぞれ「第１接合部２５１」および「第２接合部２５２」という。図４に示すように、第１吸収シート２２では、２つの第１接合部２５１と、複数（例えば、４つ）の第２接合部２５２とが設けられる。
【００３４】
図４に示す例では、２つの第１接合部２５１が、第１吸収シート２２の長手方向の両端縁部に位置する。各第１接合部２５１は、第１吸収シート２２の幅方向に長い略矩形状の部位である。各第１接合部２５１の長手方向の長さは、例えば、５ｍｍ〜５０ｍｍである。各第１接合部２５１は、第１吸収シート２２の幅方向の略全長に亘って設けられる。各第１接合部２５１では、第１上層シート２２１と第１下層シート２２３とが互いに直接的に固定される。好ましくは、第１接合部２５１における第１上層シート２２１と第１下層シート２２３との固定は、圧着による。より好ましくは、第１接合部２５１における第１上層シート２２１と第１下層シート２２３との固定は、エンボス加工による圧着により行われる。さらに好ましくは、第１接合部２５１における第１上層シート２２１と第１下層シート２２３との固定は、加熱を伴うエンボス加工による圧着により行われる。
【００３５】
第１上層シート２２１と第１下層シート２２３との圧着が加熱を伴って行われる場合、例えば、第１上層シート２２１および第１下層シート２２３のうち、一方のシートが、他方のシートよりも熱融着繊維の含有率が高い。第１吸収シート２２が製造される際には、当該一方のシートを加熱しつつ他方のシートへと押圧することにより、第１上層シート２２１と第１下層シート２２３とが圧着される。上記熱融着繊維としては、例えば、融点が約１２０℃であるポリエチレンが利用される。
【００３６】
図４に示す例では、第１下層シート２２３の熱融着繊維の含有率が、第１上層シート２２１の熱融着繊維の含有率よりも高い。熱融着繊維の含有率が高い不織布は、熱融着繊維の含有率が低い不織布に比べて、尿等の液体を繰り返し受ける場合に透液性が低下することがある。したがって、透液性を高く維持することが好ましい第１上層シート２２１ではなく、第１下層シート２２３の熱融着繊維の含有率を高くすることがより好ましい。なお、第１上層シート２２１および第１下層シート２２３の熱融着繊維の含有率は、およそ同じであってもよい。
【００３７】
図４に示す例では、４つの第２接合部２５２が、第１吸収シート２２の幅方向に互いに離間しつつ配列される。各第２接合部２５２は、第１吸収シート２２の長手方向に直線状に延びる略帯状（すなわち、略矩形状）の部位である。各第２接合部２５２は、第１吸収シート２２の長手方向の略全長に亘って設けられる。４つの第２接合部２５２は、互いに略平行に配置される。幅方向の両側において最も外側に位置する２つの第２接合部２５２は、第１吸収シート２２の幅方向の両端縁部に位置する。第１吸収シート２２の長手方向の両端縁部ではそれぞれ、第１接合部２５１と４つの第２接合部２５２とが重なる。図４では、第１接合部２５１と第２接合部２５２とが重なる部位に２種類の平行斜線を重ねて付す。
【００３８】
第１吸収シート２２では、複数の第２接合部２５２のそれぞれにおいて、第１上層シート２２１と第１下層シート２２３とが互いに固定される。好ましくは、第２接合部２５２における第１上層シート２２１と第１下層シート２２３との固定は、圧着による。より好ましくは、第２接合部２５２における第１上層シート２２１と第１下層シート２２３との固定は、エンボス加工による圧着により行われる。さらに好ましくは、第２接合部２５２における第１上層シート２２１と第１下層シート２２３との圧着は、加熱を伴うエンボス加工による圧着により行われる。
【００３９】
図２および図４に示すように、複数の第２接合部２５２の間には、複数の高吸収性材料固定部２５３が配置される。複数の高吸収性材料固定部２５３ではそれぞれ、第１上層シート２２１と第１下層シート２２３との間に第１高吸収性材料２２２が固定される。複数の第２接合部２５２と、複数の高吸収性材料固定部２５３とは、第１吸収シート２２の幅方向において交互に配置される。図２および図４に示す例では、３つの高吸収性材料固定部２５３が、第１吸収シート２２の幅方向に互いに離間しつつ配列される。３つの高吸収性材料固定部２５３は、互いに略平行に配置される。
【００４０】
各高吸収性材料固定部２５３は、第１吸収シート２２の長手方向に直線状に延びる略帯状（すなわち、略矩形状）の部位である。各高吸収性材料固定部２５３は、第１吸収シート２２の２つの第１接合部２５１の間の領域において、長手方向の略全長に亘って設けられる。すなわち、複数の高吸収性材料固定部２５３および複数の第２接合部２５２は略ストライプ状に配置され、各高吸収性材料固定部２５３は、第１接合部２５１および第２接合部２５２により、その周囲を全周に亘って囲まれる。高吸収性材料固定部２５３の幅は、例えば、第２接合部２５２の幅よりも大きい。
【００４１】
各高吸収性材料固定部２５３では、第１下層シート２２３の上面および第１上層シート２２１の下面の少なくとも一方に塗布された接着剤により、第１高吸収性材料２２２が第１上層シート２２１および第１下層シート２２３の少なくとも一方に固定される。
【００４２】
なお、第１吸収シート２２の製造工程において、例えば、当該接着剤が第１下層シート２２３の上面および第１上層シート２２１の下面の全面に亘って塗布されてもよい。この場合、第１接合部２５１および第２接合部２５２においても、第１上層シート２２１と第１下層シート２２３との間に接着剤は存在する。ただし、第１上層シート２２１と第１下層シート２２３との間に存在する当該接着剤は少量であり、第１上層シート２２１と第１下層シート２２３との固定にはあまり寄与しない。したがって、第１接合部２５１において第１上層シート２２１と第１下層シート２２３との間に接着剤が存在する場合であっても、第１上層シート２２１および第１下層シート２２３は、上述のように、主に圧着により固定される。第２接合部２５２においても同様である。
【００４３】
各第２接合部２５２において、第１上層シート２２１と第１下層シート２２３との間に高吸収性材料２２２は実質的に存在しない。換言すれば、各第２接合部２５２では、第１上層シート２２１と第１下層シート２２３との間に第１高吸収性材料２２２が全く存在しない、または、高吸収性材料固定部２５３と比べて第１高吸収性材料２２２が実質的には存在しないとみなせる程度の僅かな密度にて存在する。
【００４４】
上述の高吸収性材料固定部２５３および第２接合部２５２を「第１領域」および「第２領域」と呼ぶと、第１吸収シート２２では、複数の第２領域が、第１吸収シート２２の幅方向において複数の第１領域と交互に配置される。そして、複数の第１領域のそれぞれにおいて、第１上層シート２２１と第１下層シート２２３との間に第１高吸収性材料２２２が固定される。また、複数の第２領域において、第１上層シート２２１と第１下層シート２２３との間に第１高吸収性材料２２２が存在せず、第１上層シート２２１と第１下層シート２２３とが互いに直接的に固定される。
【００４５】
上述の各第１接合部２５１では、第２接合部２５２と同様に、第１上層シート２２１と第１下層シート２２３との間に第１高吸収性材料２２２は実質的に存在しない。換言すれば、各第１接合部２５１では、第１上層シート２２１と第１下層シート２２３との間に第１高吸収性材料２２２が全く存在しない、または、高吸収性材料固定部２５３と比べて第１高吸収性材料２２２が実質的には存在しないとみなせる程度の僅かな密度にて存在する。なお、第１吸収シート２２の製造方法によっては、第１接合部２５１には、高吸収性材料固定部２５３と同程度の密度にて第１高吸収性材料２２２が存在する場合もある。
【００４６】
図５は、第２吸収シート２２ａの平面図である。第２吸収シート２２ａは、長手方向の両端縁部において第２上層シート２２１ａと第２下層シート２２３ａとが非固定である点、および、上述のように長手方向の長さが第１吸収シート２２よりも短い点を除き、第１吸収シート２２とおよそ同様の構造を有する。すなわち、第２吸収シート２２ａでは、第２接合部２５２および高吸収性材料固定部２５３の数、幅方向の位置および幅等が、第１吸収シート２２と略同様である。図５では、第２上層シート２２１ａと第２下層シート２２３ａとが互いに固定される第２接合部２５２に平行斜線を付す。後述する図７および図１０においても、第２上層シート２２１ａと第２下層シート２２３ａとの接合部に平行斜線を付す。
【００４７】
図５に示す例では、第２吸収シート２２ａでは、複数（例えば、４つ）の第２接合部２５２が設けられる。４つの第２接合部２５２は、第２吸収シート２２ａの幅方向に互いに離間しつつ配列される。各第２接合部２５２は、第２吸収シート２２ａの長手方向に直線状に延びる略帯状（すなわち、略矩形状）の部位である。各第２接合部２５２は、第２吸収シート２２ａの長手方向の略全長に亘って設けられる。４つの第２接合部２５２は、互いに略平行に配置される。幅方向の両側において最も外側に位置する２つの第２接合部２５２は、第２吸収シート２２ａの幅方向の両端縁部に位置する。
【００４８】
第２吸収シート２２ａでは、複数の第２接合部２５２のそれぞれにおいて、第２上層シート２２１ａと第２下層シート２２３ａとが互いに固定される。好ましくは、第２接合部２５２における第２上層シート２２１ａと第２下層シート２２３ａとの固定は、圧着による。より好ましくは、第２接合部２５２における第２上層シート２２１ａと第２下層シート２２３ａとの固定は、エンボス加工による圧着により行われる。さらに好ましくは、第２接合部２５２における第２上層シート２２１ａと第２下層シート２２３ａとの圧着は、加熱を伴うエンボス加工による圧着により行われる。
【００４９】
図５に示すように、第２吸収シート２２ａの長手方向の両端縁部には、第２接合部２５２の両端部が含まれる。すなわち、第２吸収シート２２ａの長手方向の両端縁部では、第２上層シート２２１ａと第２下層シート２２３ａとは、第２接合部２５２を除く部位において非固定である。換言すれば、第２吸収シート２２ａの長手方向の両端縁部では、第２上層シート２２１ａと第２下層シート２２３ａとは、後述する高吸収性材料固定部２５３と長手方向に隣接する部位において非固定である。なお、第２上層シート２２１ａと第２下層シート２２３ａとは、長手方向の両端縁部の全幅に亘って非固定であってもよい。すなわち、長手方向の両端縁部において第２上層シート２２１ａと第２下層シート２２３ａとが非固定であるという場合、第２吸収シート２２ａの長手方向の両端縁部では、第２上層シート２２１ａと第２下層シート２２３ａとは、第２接合部２５２を除く部位において非固定であってもよく、全幅に亘って非固定であってもよい。
【００５０】
図２および図５に示すように、複数の第２接合部２５２の間には、複数の高吸収性材料固定部２５３が配置される。複数の高吸収性材料固定部２５３ではそれぞれ、第２上層シート２２１ａと第２下層シート２２３ａとの間に第２高吸収性材料２２２ａが固定される。複数の第２接合部２５２と、複数の高吸収性材料固定部２５３とは、第２吸収シート２２ａの幅方向において交互に配置される。図２および図５に示す例では、３つの高吸収性材料固定部２５３が、第２吸収シート２２ａの幅方向に互いに離間しつつ配列される。３つの高吸収性材料固定部２５３は、互いに略平行に配置される。
【００５１】
各高吸収性材料固定部２５３は、第２吸収シート２２ａの長手方向に直線状に延びる略帯状（すなわち、略矩形状）の部位である。すなわち、複数の高吸収性材料固定部２５３および複数の第２接合部２５２は略ストライプ状に配置される。高吸収性材料固定部２５３の幅は、例えば、第２接合部２５２の幅よりも大きい。各高吸収性材料固定部２５３では、第２下層シート２２３ａの上面および第２上層シート２２１ａの下面の少なくとも一方に塗布された接着剤により、第２高吸収性材料２２２ａが第２上層シート２２１ａおよび第２下層シート２２３ａの少なくとも一方に固定される。
【００５２】
なお、第２吸収シート２２ａの製造工程において、例えば、当該接着剤が第２下層シート２２３ａの上面および第２上層シート２２１ａの下面の全面に亘って塗布されてもよい。この場合、第２接合部２５２においても、第２上層シート２２１ａと第２下層シート２２３ａとの間に接着剤は存在する。ただし、第２上層シート２２１ａと第２下層シート２２３ａとの間に存在する当該接着剤は少量であり、第２上層シート２２１ａと第２下層シート２２３ａとの固定にはあまり寄与しない。したがって、第２接合部２５２において第２上層シート２２１ａと第２下層シート２２３ａとの間に接着剤が存在する場合であっても、第２上層シート２２１ａおよび第２下層シート２２３ａは、上述のように、主に圧着により固定される。
【００５３】
各第２接合部２５２において、第２上層シート２２１ａと第２下層シート２２３ａとの間に第２高吸収性材料２２２ａは実質的に存在しない。換言すれば、各第２接合部２５２では、第２上層シート２２１ａと第２下層シート２２３ａとの間に第２高吸収性材料２２２ａが全く存在しない、または、高吸収性材料固定部２５３と比べて第２高吸収性材料２２２ａが実質的には存在しないとみなせる程度の僅かな密度にて存在する。
【００５４】
上述の高吸収性材料固定部２５３および第２接合部２５２を「第１領域」および「第２領域」と呼ぶと、第２吸収シート２２ａにおいても第１吸収シート２２と同様に、複数の第２領域が、第２吸収シート２２ａの幅方向において複数の第１領域と交互に配置される。そして、複数の第１領域のそれぞれにおいて、第２上層シート２２１ａと第２下層シート２２３ａとの間に第２高吸収性材料２２２ａが固定される。また、複数の第２領域において、第２上層シート２２１ａと第２下層シート２２３ａとの間に第２高吸収性材料２２２ａが存在せず、第２上層シート２２１ａと第２下層シート２２３ａとが互いに直接的に固定される。
【００５５】
第１吸収シート２２の単位面積あたりの液体吸収量は、例えば、第２吸収シート２２ａの単位面積あたりの液体吸収量よりも小さい。この場合、第１吸収シート２２および第２吸収シート２２ａの単位面積はそれぞれ、第１吸収シート２２および第２吸収シート２２ａの平面視における単位面積を意味する。また、第１吸収シート２２および第２吸収シート２２ａの単位面積あたりの液体吸収量はそれぞれ、第１吸収シート２２および第２吸収シート２２ａの高吸収性材料固定部２５３における単位面積あたりの液体吸収量（すなわち、最大液体吸収量）を意味する。あるいは、第１吸収シート２２および第２吸収シート２２ａの単位面積あたりの液体吸収量はそれぞれ、第１吸収シート２２および第２吸収シート２２ａの全体における単位面積あたりの平均液体吸収量を意味する。
【００５６】
第２吸収シート２２ａの液体吸収速度は、第１吸収シート２２の液体吸収速度よりも大きい。当該液体吸収速度の差、および、上記液体吸収量の差は、例えば、第１高吸収性材料２２２と第２高吸収性材料２２２ａとの種類を異ならせることにより実現されてもよい。あるいは、当該液体吸収速度の差、および、当該液体吸収量の差は、高吸収性材料固定部２５３における単位面積あたりの第１高吸収性材料２２２および第２高吸収性材料２２２ａの量を異ならせることにより実現されてもよい。例えば、第１高吸収性材料２２２と第２高吸収性材料２２２ａとを同じ種類の材料とし、第１吸収シート２２の高吸収性材料固定部２５３における第１高吸収性材料２２２の目付を、第２吸収シート２２ａの高吸収性材料固定部２５３における第２高吸収性材料２２２ａの目付よりも小さくしてもよい。
【００５７】
以上に説明したように、吸収性物品１は、透液性のトップシート２１と、第１吸収シート２２と、第２吸収シート２２ａと、撥水性または不透液性のバックシート２３とを備える。第１吸収シート２２は、トップシート２１とバックシート２３との間に配置される。第２吸収シート２２ａは、第１吸収シート２２とバックシート２３との間に配置される。第１吸収シート２２は、第１上層シート２２１と、粒状または繊維状の第１高吸収性材料２２２と、第１下層シート２２３とを備える。第１下層シート２２３は、第１上層シート２２１とバックシート２３との間に配置される。第１高吸収性材料２２２は、第１上層シート２２１と第１下層シート２２３との間に固定される。
【００５８】
第２吸収シート２２ａは、第２上層シート２２１ａと、粒状または繊維状の第２高吸収性材料２２２ａと、第２下層シート２２３ａとを備える。第２下層シート２２３ａは、第２上層シート２２１ａとバックシート２３との間に配置される。第２高吸収性材料２２２ａは、第２上層シート２２１ａと第２下層シート２２３ａとの間に固定される。
【００５９】
第１吸収シート２２は、長手方向の両側において第２吸収シート２２ａの長手方向の端縁から長手方向に延出している。長手方向の両側において、第１吸収シート２２の第２吸収シート２２ａからの延出部２２４は、第２吸収シート２２ａの長手方向の端縁から長手方向に離間してバックシート２３に接するバックシート接触領域２２５を備える。
【００６０】
これにより、第１吸収シート２２を透過して第２吸収シート２２ａに到達した液体のうち、第２吸収シート２２ａにてすぐには吸収されない液体を、第１吸収シート２２のバックシート接触領域２２５と第２吸収シート２２ａとの間にて、一時的に保持することができる。このため、第２吸収シート２２ａにてすぐには吸収されない液体が、第１吸収シート２２を透過してトップシート２１へと戻ること（すなわち、液戻り）を抑制することができる。その結果、トップシート２１へと戻った尿等の液体が、着用者の肌に付着することを抑制することができる。
【００６１】
上述のように、第１吸収シート２２の長手方向の両側において、第１吸収シート２２のバックシート接触領域２２５と第２吸収シート２２ａの端縁との間の長手方向の距離Ｄ１は２ｍｍ以上２０ｍｍ以下である。また、バックシート接触領域２２５と第２吸収シート２２ａの上記端縁との間に第１吸収シート２２と第２吸収シート２２ａとバックシート２３とに囲まれるコア端部空間２２６が設けられる。これにより、第１吸収シート２２を透過して第２吸収シート２２ａに到達した液体のうち、第２吸収シート２２ａにてすぐには吸収されない液体を、コア端部空間２２６にて一時的に、かつ、容易に保持することができる。その結果、上述の液戻りをさらに抑制することができる。
【００６２】
吸収性物品１では、第１吸収シート２２の単位面積あたりの液体吸収量が、第２吸収シート２２ａの単位面積あたりの液体吸収量よりも小さい。このため、トップシート２１を透過した液体が、速やかに第１吸収シート２２と透過してトップシート２１から離れる。また、第１吸収シート２２を透過した液体は、第２吸収シート２２ａの第２高吸収性材料２２２ａにより吸収される。これにより、上述の液戻りをより一層抑制することができる。
【００６３】
また、第１吸収シート２２の第１下層シート２２３の透液性が、第２吸収シート２２ａの第２下層シート２２３ａの透液性よりも高い。このため、トップシート２１を透過した液体が、速やかに第１吸収シート２２と透過してトップシート２１から離れる。第１吸収シート２２を透過した液体は、第２吸収シート２２ａにてある程度の時間留まり、第２高吸収性材料２２２ａにより吸収される。これにより、上述の液戻りをさらに抑制することができる。さらに、第２吸収シート２２ａの液体吸収速度を、第１吸収シート２２の液体吸収速度よりも大きくすることにより、第１吸収シート２２を透過した液体を、第２吸収シート２２ａにて迅速に吸収することができる。
【００６４】
上述のように、吸収性物品１では、第１吸収シート２２は、長手方向の両側において第２吸収シート２２ａの長手方向の端縁から長手方向に延出している。また、第１吸収シート２２の長手方向の両端縁部において、第１上層シート２２１と第１下層シート２２３とは互いに固定される。
【００６５】
これにより、第１吸収シート２２の長手方向の端部から第１高吸収性材料２２２が脱落することを防止することができる。また、第１吸収シート２２の長手方向の両端部を薄くすることができるため、吸収性物品１の着用感を向上することができる。さらに、尿等を吸収して膨潤した第１高吸収性材料２２２が、第１吸収シート２２の長手方向の端部から漏出することを抑制することができる。その結果、尿等の液体を受けた後の吸収性物品１において、着用感の低下を抑制することができる。
【００６６】
上述のように、第１吸収シート２２の長手方向の両端縁部における第１上層シート２２１と第１下層シート２２３との固定は、圧着による。これにより、第１接合部２５１において、第１上層シート２２１と第１下層シート２２３とを容易に、かつ、強固に固定することができる。また、第１上層シート２２１と第１下層シート２２３との当該固定は、エンボス加工による。これにより、第１接合部２５１において、第１上層シート２２１と第１下層シート２２３とを、より強固に固定することができる。さらに、第１上層シート２２１と第１下層シート２２３との当該固定は、加熱を伴うエンボス加工による。これにより、第１接合部２５１において、第１上層シート２２１と第１下層シート２２３とを、より一層強固に固定することができる。
【００６７】
第１吸収シート２２では、第１上層シート２２１および第１下層シート２２３のうち一方のシートが他方のシートよりも熱融着繊維の含有率が高く、当該一方のシートを加熱しつつ他方のシートへと押圧することにより、第１上層シート２２１と第１下層シート２２３とが圧着される。これにより、第１接合部２５１において、上記一方のシートに含まれる熱融着繊維が適切に溶融するため、第１上層シート２２１と第１下層シート２２３とを、より一層強固に固定することができる。
【００６８】
上述のように、第１吸収シート２２では、複数の高吸収性材料固定部２５３を略ストライプ状に配置することにより、着用者からの尿等を吸収して膨潤した第１高吸収性材料２２２が、吸収シート２２の中央部において略全面に亘って拡がってゲルブロック（すなわち、膨潤した高吸収性材料等により、後続の尿等が吸収シートにしみ込むことが阻害され、高吸収性材料上に溜まる現象）が生じることを抑制することができる。その結果、ゲルブロックによりトップシート２１へと戻った尿等が、着用者の肌に付着することを抑制することができる。換言すれば、ゲルブロックによる液戻りを抑制することができる。また、第２吸収シート２２ａにおいても同様に、複数の高吸収性材料固定部２５３を略ストライプ状に配置することにより、ゲルブロックが生じることを抑制することができる。
【００６９】
吸収性物品１では、第２吸収シート２２ａの長手方向の両端縁部において、第２上層シート２２１ａと第２下層シート２２３ａとが非固定である。これにより、第２吸収シート２２ａの製造を簡素化することができる。その結果、吸収性物品１の製造コストを低減することができる。なお、吸収性物品１では、第２吸収シート２２ａの長手方向の端部から第２高吸収性材料２２２ａの一部が脱落する可能性はあるが、第２吸収シート２２ａから脱落した第２高吸収性材料２２２ａは、第１吸収シート２２の延出部２２４の下方に位置する。このため、吸収性物品１の着用者が、脱落した第２高吸収性材料２２２ａの存在をトップシート２１を介して感知することを抑制することができる。その結果、仮に第２吸収シート２２ａの長手方向の端部から第２高吸収性材料２２２ａが脱落した場合であっても、第２高吸収性材料２２２ａの間接的接触に起因する吸収性物品１の着用感の低下を抑制することができる。
【００７０】
上述のように、吸収性物品１では、長手方向の両側において、第１吸収シート２２のバックシート接触領域２２５がバックシート２３に固定される。これにより、第１吸収シート２２とバックシート２３との間に位置する第２吸収シート２２ａの捩れや、第１吸収シート２２に対する相対位置のずれを抑制することができる。その結果、第１吸収シート２２から第２吸収シート２２ａへの液体の速やかな移動を実現することができる。また、上記のように、仮に第２吸収シート２２ａの長手方向の端部から第２高吸収性材料２２２ａが脱落した場合であっても、第２高吸収性材料２２２ａが第１吸収シート２２の下方から、第１吸収シート２２が存在しない領域へと移動することを抑制することができる。その結果、吸収性物品１の着用感の低下をさらに抑制することができる。
【００７１】
吸収性物品１では、第２吸収シート２２ａの第２上層シート２２１ａが、第１吸収シート２２の第１下層シート２２３に固定される。これにより、第２吸収シート２２ａの捩れや、第１吸収シート２２に対する相対位置のずれを、さらに抑制することができる。その結果、第１吸収シート２２から第２吸収シート２２ａへの液体の速やかな移動を実現することができる。
【００７２】
図６は、吸収性物品１の他の好ましい例を示す断面図である。図６は、吸収性物品１の幅方向に垂直な断面図であり、図３に対応する。図７は、図６に示す吸収性物品１の第２吸収シート２２ａの平面図である。図６および図７に示す例では、第２吸収シート２２ａの長手方向の両端縁部において、第２上層シート２２１ａと第２下層シート２２３ａとが接合されて第１接合部２５１が形成される。各第１接合部２５１では、第２上層シート２２１ａと第２下層シート２２３ａとが互いに直接的に固定される。
【００７３】
第２吸収シート２２ａの各第１接合部２５１は、第２吸収シート２２ａの幅方向に長い略矩形状の部位である。各第１接合部２５１の長手方向の長さは、例えば、５ｍｍ〜５０ｍｍである。各第１接合部２５１は、第２吸収シート２２ａの幅方向の略全長に亘って設けられる。第１接合部２５１における第２上層シート２２１ａと第２下層シート２２３ａとの固定は、好ましくは、圧着による。より好ましくは、第１接合部２５１における第２上層シート２２１ａと第２下層シート２２３ａとの固定は、エンボス加工による圧着により行われる。さらに好ましくは、第１接合部２５１における第２上層シート２２１ａと第２下層シート２２３ａとの固定は、加熱を伴うエンボス加工による圧着により行われる。
【００７４】
図６および図７に示す例では、第２吸収シート２２ａの長手方向の両端縁部において、第２上層シート２２１ａと第２下層シート２２３ａとは互いに固定される。これにより、第２吸収シート２２ａの長手方向の端部から第２高吸収性材料２２２ａが脱落することを防止することができる。また、第２吸収シート２２ａの長手方向の両端部を薄くすることができるため、吸収性物品１の着用感を向上することができる。さらに、尿等を吸収して膨潤した第２高吸収性材料２２２ａが、第２吸収シート２２ａの長手方向の端部から漏出することを抑制することができる。
【００７５】
上述のように、第２吸収シート２２ａの長手方向の両端縁部における第２上層シート２２１ａと第２下層シート２２３ａとの固定は、圧着による。これにより、第１接合部２５１において、第２上層シート２２１ａと第２下層シート２２３ａとを容易に、かつ、強固に固定することができる。また、第２上層シート２２１ａと第２下層シート２２３ａとの当該固定は、エンボス加工による。これにより、第１接合部２５１において、第２上層シート２２１ａと第２下層シート２２３ａとを、より強固に固定することができる。さらに、第２上層シート２２１ａと第２下層シート２２３ａとの当該固定は、加熱を伴うエンボス加工による。これにより、第１接合部２５１において、第２上層シート２２１ａと第２下層シート２２３ａとを、より一層強固に固定することができる。
【００７６】
次に、本発明の第２の実施の形態に係る吸収性物品１ａについて説明する。図８は、吸収性物品１ａの平面図である。図９は、吸収性物品１ａを図８中のＩＸ−ＩＸの位置にて長手方向に垂直な面で切断した断面図であり、図２に対応する。図１０は、吸収性物品１ａの第２吸収シート２２ａの平面図である。吸収性物品１ａは、第２吸収シート２２ａの幅が第１吸収シート２２よりも小さい点を除き、図１ないし図３に示す吸収性物品１とおよそ同様である。以下の説明では、吸収性物品１の各構成に対応する吸収性物品１ａの構成に同符号を付す。
【００７７】
図８および図９に示すように、第１吸収シート２２の幅方向の両側では、第１吸収シート２２が第２吸収シート２２ａの幅方向の端縁から幅方向に延出する。当該幅方向の両側において、第１吸収シート２２の第２吸収シート２２ａからの延出部２２４ａは、第２吸収シート２２ａの幅方向の端縁から幅方向に離間してバックシート２３に接する側方バックシート接触領域２２５ａを備える。換言すれば、側方バックシート接触領域２２５ａの第２吸収シート２２ａに近い側の幅方向の端縁は、第２吸収シート２２ａの幅方向の端縁から幅方向に離間する。さらに換言すれば、第１吸収シート２２の側方バックシート接触領域２２５ａと第２吸収シート２２ａの幅方向の端縁との間には、吸収体２０とバックシート２３とが接触しない非接触領域が存在する。
【００７８】
第１吸収シート２２の幅方向の両側において、第１吸収シート２２の側方バックシート接触領域２２５ａはバックシート２３に固定される。これにより、第１吸収シート２２とバックシート２３との間に位置する第２吸収シート２２ａの捩れや、第１吸収シート２２に対する相対位置のずれを抑制することができる。その結果、第１吸収シート２２から第２吸収シート２２ａへの液体の速やかな移動を実現することができる。側方バックシート接触領域２２５ａとバックシート２３との固定は、例えば、ホットメルト接着剤による接着により行われる。側方バックシート接触領域２２５ａとバックシート２３との固定は、他の様々な方法により行われてもよい。
【００７９】
第１吸収シート２２の幅方向の両側において、第１吸収シート２２の側方バックシート接触領域２２５ａと第２吸収シート２２ａの幅方向の端縁との間の幅方向の距離Ｄ２は、例えば、２ｍｍ以上２０ｍｍ以下である。側方バックシート接触領域２２５ａと第２吸収シート２２ａの幅方向の端縁との間には、第１吸収シート２２と第２吸収シート２２ａとバックシート２３とに囲まれる空間２２６ａ（以下、「側方コア端部空間２２６ａ」という。）が設けられる。側方コア端部空間２２６ａは、第２吸収シート２２ａの略全長に亘って長手方向に略直線状に延びる。
【００８０】
図１０に示すように、第２吸収シート２２ａでは、長手方向の両端縁部において第２上層シート２２１ａと第２下層シート２２３ａとが非固定である。これにより、第２吸収シート２２ａの製造を簡素化することができる。その結果、吸収性物品１ａの製造コストを低減することができる。
【００８１】
図９および図１０に示すように、第２吸収シート２２ａでは、３つの第２接合部２５２と、２つの高吸収性材料固定部２５３とが交互に配置される。このように、複数の高吸収性材料固定部２５３を略ストライプ状に配置することにより、第２吸収シート２２ａにおいてゲルブロックが生じることを抑制することができる。その結果、ゲルブロックによる液戻りを抑制することができる。第２吸収シート２２ａの各第２接合部２５２は、第１吸収シート２２の高吸収性材料固定部２５３と上下方向に重なる。また、第１吸収シート２２の両側縁部（すなわち、幅方向の両側の端縁部）を除く２つの第２接合部２５２は、第２吸収シート２２ａの高吸収性材料固定部２５３と上下方向に重なる。これにより、第１吸収シート２２を透過した液体を、第２吸収シート２２ａの高吸収性材料２２２ａにより迅速に吸収することができる。
【００８２】
図８および図９に示す吸収性物品１ａでは、第１吸収シート２２が、幅方向の両側において第２吸収シート２２ａの幅方向の端縁から幅方向に延出している。幅方向の両側において、第１吸収シート２２の第２吸収シート２２ａからの延出部２２４ａは、第２吸収シート２２ａの幅方向の端縁から幅方向に離間してバックシート２３に接する側方バックシート接触領域２２５ａを備える。
【００８３】
これにより、第１吸収シート２２を透過して第２吸収シート２２ａに到達した液体のうち、第２吸収シート２２ａにてすぐには吸収されない液体を、第１吸収シート２２の側方バックシート接触領域２２５ａと第２吸収シート２２ａとの間にて、一時的に保持することができる。このため、第２吸収シート２２ａにてすぐには吸収されない液体が、第１吸収シート２２を透過してトップシート２１へと戻ること（すなわち、液戻り）を抑制することができる。その結果、トップシート２１へと戻った尿等の液体が、着用者の肌に付着することを抑制することができる。
【００８４】
上述のように、第１吸収シート２２の幅方向の両側において、第１吸収シート２２の側方バックシート接触領域２２５ａと第２吸収シート２２ａの端縁との間の幅方向の距離Ｄ２は２ｍｍ以上２０ｍｍ以下である。また、側方バックシート接触領域２２５ａと第２吸収シート２２ａの上記端縁との間に第１吸収シート２２と第２吸収シート２２ａとバックシート２３とに囲まれる側方コア端部空間２２６ａが設けられる。これにより、第１吸収シート２２を透過して第２吸収シート２２ａに到達した液体のうち、第２吸収シート２２ａにてすぐには吸収されない液体を、側方コア端部空間２２６ａにて一時的に、かつ、容易に保持することができる。その結果、上述の液戻りをさらに抑制することができる。
【００８５】
上述の吸収性物品１，１ａでは、様々な変更が可能である。
【００８６】
例えば、吸収性物品１，１ａの第１吸収シート２２では、第１接合部２５１における第１上層シート２２１と第２上層シート２２１ａとの固定は、加熱を伴わないエンボスにより行われてもよく、エンボス以外の圧着（例えば、ヒートシールまたは超音波シール）により行われてもよく、あるいは、圧着以外の様々な方法により行われてもよい。第１吸収シート２２の第２接合部２５２における第１上層シート２２１と第１下層シート２２３との固定についても同様である。第２吸収シート２２ａの第２接合部２５２における第２上層シート２２１ａと第２下層シート２２３ａとの固定についても同様である。図６および図７に示すように、第２吸収シート２２ａの長手方向の両端縁部に第１接合部２５１が設けられる場合、当該第１接合部２５１における第２上層シート２２１ａと第２下層シート２２３ａとの固定についても同様である。
【００８７】
吸収性物品１，１ａでは、必ずしも第１吸収シート２２に第１接合部２５１は設けられる必要はなく、第１吸収シート２２の長手方向の両端端部において、第１上層シート２２１と第１下層シート２２３とが非固定であってもよい。すなわち、第１吸収シート２２の長手方向の両端縁部では、第１上層シート２２１と第１下層シート２２３とは、第２接合部２５２を除く部位において非固定であってもよく、全幅に亘って非固定であってもよい。
【００８８】
吸収性物品１，１ａでは、第２吸収シート２２ａの第２上層シート２２１ａと、第１吸収シート２２の第１下層シート２２３とは、非固定であってもよい。これにより、第１吸収シート２２と第２吸収シート２２ａとの間に接着剤等が設けられる場合に比べて、第１吸収シート２２から第２吸収シート２２ａへ、尿等の液体を速やかに移動させることができる。
【００８９】
吸収性物品１，１ａでは、第１吸収シート２２の第２吸収シート２２ａからの延出部２２４に設けられるバックシート接触領域２２５と、バックシート２３とは非固定であってもよい。
【００９０】
吸収性物品１ａでは、第１吸収シート２２の第２吸収シート２２ａからの延出部２２４ａに設けられる側方バックシート接触領域２２５ａと、バックシート２３とは非固定であってもよい。また、側方バックシート接触領域２２５ａは、第２吸収シート２２ａの幅方向の端縁と接していてもよい。
【００９１】
第１吸収シート２２では、複数の高吸収性材料固定部２５３が略ストライプ状に配置されるが、複数の高吸収性材料固定部２５３の配置、および、各高吸収性材料固定部２５３の形状は、様々に変更されてよい。例えば、それぞれが平面視において略円形の複数の高吸収性材料固定部２５３が、マトリクス状に配置されてもよい。また、例えば、第１吸収シート２２において、幅方向の両端縁部を除く領域全体に亘って、高吸収性材料２２２が配置されてもよい。第２吸収シート２２ａにおいても同様である。
【００９２】
吸収性物品１，１ａの平面視における形状は、様々に変更されてよい。例えば、吸収性物品１，１ａの平面視における形状は、長手方向の両端部の幅が長手方向の中央部の幅よりも大きい略砂時計状であってもよい。
【００９３】
上記実施の形態および各変形例における構成は、相互に矛盾しない限り適宜組み合わされてよい。
【符号の説明】
【００９４】
１，１ａ    吸収性物品
２０    吸収コア
２１    トップシート
２２    第１吸収シート
２２ａ    第２吸収シート
２３    バックシート
２２１    第１上層シート
２２１ａ    第２上層シート
２２２    第１高吸収性材料
２２２ａ    第２高吸収性材料
２２３    第１下層シート
２２３ａ    第２下層シート
２２４，２２４ａ    延出部
２２５    バックシート接触領域
２２５ａ    側方バックシート接触領域
２２６    コア端部空間
２２６ａ    側方コア端部空間
２５１    第１接合部
【図１】
0006707335.tif 000002
【図２】
0006707335.tif 000003
【図３】
0006707335.tif 000004
【図４】
0006707335.tif 000005
【図５】
0006707335.tif 000006
【図６】
0006707335.tif 000007
【図７】
0006707335.tif 000008
【図８】
0006707335.tif 000009
【図９】
0006707335.tif 000010
【図１０】
0006707335.tif 000011